(57)【特許請求の範囲】
【請求項１】
無線通信機を内蔵し、呼び出し報知機能を有する情報携帯端末装置において、
あらかじめ複数の緊急時呼び出しモードのうちの１つを発信者番号に対応させて設定しておき、マナーモードの時に前記発信者番号に対応した特定の発信者からの着信があった時は、発信者に緊急呼び出しが必要か否かをアナウンスし、発信者が緊急呼び出しが必要なことを選択した時には、マナーモードを解除し、設定された現状の呼び出しパターンが前記緊急時呼び出しモードに属する呼び出しパターンのうち、いずれのものであるのかを発信者にアナウンスし、前記緊急時呼び出しモードに属する１又は複数の呼び出しパターンのうち、選択できる呼び出しパターンを発信者にアナウンスし、発信者が選択した呼び出しパターンで呼び出し報知を行うことを特徴とする情報携帯端末装置。
【請求項２】
前記複数の緊急時呼び出しモードには、少なくとも表示のみにより呼び出し報知を行うモード、表示とバイブ振動により呼び出し報知を行うモード、表示とバイブ振動と鳴音小により呼び出し報知を行うモードおよび表示とバイブ振動と鳴音大により呼び出し報知を行うモードのいずれか１つを含むことを特徴とする請求項１に記載の情報携帯端末装置。
【請求項３】
前記呼び出し報知を、少なくとも鳴音、振動、ＬＣＤ表示、ＬＥＤ点滅のいずれか１つにより行うことを特徴とする請求項１または２に記載の情報携帯端末装置。
【発明の詳細な説明】
【０００１】
【発明の属する技術分野】
この発明は、携帯電話機、無線通信機付き携帯型コンピューター等の無線通信機を内蔵し、着信時に鳴音、振動、ＬＣＤ表示、ＬＥＤ点滅による呼び出し機能を有する情報携帯端末装置に関する。
【０００２】
【従来の技術】
携帯電話機、無線通信機付き携帯型コンピューター等の無線通信機を内蔵した情報携帯端末装置には、電車内等の人の混雑したところで、他人に迷惑をかけないようにするために、着信時の鳴音を停止させて呼び出しを制限するマナーモード等の機能が備えられている。
【０００３】
【発明が解決しようとする課題】
しかしながら、上述した情報携帯端末装置では、装置にマナーモードが設定されていて、着信時の鳴音が制限されている場合には、緊急の連絡（電話）があっても着信に気づかず、緊急連絡が不可能になってしまうことがあった。
【０００４】
この発明の目的は、緊急呼び出しが必要な時に、マナーモード等により呼び出しが制限されていても、発呼者、着呼者両方が期待する呼び出しを可能にする情報携帯端末装置を提供することにある。
【０００５】
【課題を解決するための手段】
この発明は、無線通信機を内蔵し、呼び出し報知機能を有する情報携帯端末装置において、
あらかじめ複数の緊急時呼び出しモードのうちの１つを発信者番号に対応させて設定しておき、マナーモードの時に前記発信者番号に対応した特定の発信者からの着信があった時は、発信者に緊急呼び出しが必要か否かをアナウンスし、発信者が緊急呼び出しが必要なことを選択した時には、マナーモードを解除し、設定された現状の呼び出しパターンが前記緊急時呼び出しモードに属する呼び出しパターンのうち、いずれのものであるのかを発信者にアナウンスし、前記緊急時呼び出しモードに属する１又は複数の呼び出しパターンのうち、選択できる呼び出しパターンを発信者にアナウンスし、発信者が選択した呼び出しパターンで呼び出し報知を行うことを特徴とする。
【０００６】
また、前記複数の緊急時呼び出しモードには、少なくとも表示のみにより呼び出し報知を行うモード、表示とバイブ振動により呼び出し報知を行うモード、表示とバイブ振動と鳴音小により呼び出し報知を行うモードおよび表示とバイブ振動と鳴音大により呼び出し報知を行うモードのいずれか１つを含むことを特徴とする。
【０００７】
この発明は、マナーモード等により呼び出しが制限されていても、緊急度に応じてマナーモード等を解除したり、また、あらかじめ着信者が発信者番号に対応した呼び出し制御を設定することで、発呼者、着呼者両方が期待する呼び出し制御を可能にする。
【０００８】
【発明の実施の形態】
次に、この発明の実施の形態について図面を参照して説明する。
【０００９】
図１は、この発明の情報携帯端末装置の実施の形態を示すブロック構成図である。図１に示す情報携帯端末装置は、送受信アンテナ１、無線部２、制御部３、表示部４、バイブ５、記憶部６、入力キー７、ＬＥＤ８、スピーカー９、レシーバ１０、マイク１１で構成される無線通信機を内蔵し、呼び出し報知機能を有する。
【００１０】
着信信号が送受信アンテナ１に入力されると、無線部２で復調され、制御部３に供給される。制御部３は、着信信号が入力されると、スピーカー９より着信音を鳴動させ、表示部４に着信した旨を表示し、ＬＥＤ８を点滅させ、バイブ５を振動動作させる。無線部２で復調され、得られた受話音は、レシーバ１０により利用者に伝えられる。また、無線部２においては、送信すべき音声を変調する等の所定の信号処理を行い、送受信アンテナ１より送信する。
【００１１】
図１の構成における、緊急時呼び出しモードと発信者との対応について、図２を用いて説明する。
【００１２】
緊急時呼び出しモードは、緊急度によりレベル１〜レベル４に設定される。レベル１は、表示のみの報知であり、ＬＥＤ８の緊急パターンの点滅および、表示部４に緊急の旨を表示して報知する。レベル２は、表示とバイブ振動の報知であり、レベル１に更に緊急の振動パターンでバイブ５を振動して報知する。レベル３は、表示とバイブ振動と鳴音小の報知であり、レベル２に更に緊急のパターンでスピーカー９より鳴音の音量を小さくして報知する。レベル４は、表示とバイブ振動と鳴音大の報知であり、レベル３に更に緊急のパターンでスピーカー９より鳴音の音量を大きくして報知する。レベル１からレベル４に数字が大きくなるとともに緊急度は高くなる設定とする。
【００１３】
レベル１〜レベル４の緊急度に応じた各緊急時呼び出しモードに対して、それぞれ発信者番号を割り当て、情報携帯端末装置の使用者は、あらかじめ入力キー７により、表示部４を参照しながら緊急時呼び出しモードとそれに対応する発信者番号および発信者について設定を行い、記憶部６に記憶する。図２では、レベル４の緊急時呼び出しモードに発信者Ａ，Ｂ，Ｃ，Ｄを設定し、レベル３の緊急時呼び出しモードに発信者Ｅ，Ｆ，Ｇを設定している。それぞれ発信者Ａ〜Ｇには発信者番号が割り当てられている。
【００１４】
例えば、発信者Ａの発信者番号が０９０−１２３４−５６７８の場合、図１に示す情報携帯端末装置に０９０−１２３４−５６７８の発信者番号の緊急電話がかかってきた時に、制御部３は、発信者Ａからの電話であると認識し、記憶部６から、発信者Ａに設定されたレベル４の緊急時呼び出しモードを読み出す。レベル４であるためマナーモードを解除して、表示とバイブ振動と鳴音大の報知を行う。
【００１５】
次に、図１に示す情報携帯端末装置の、緊急呼び出し時における動作を図３（ステップ１０１〜ステップ１１２）および図４（ステップ１１３〜ステップ１１８）のフローチャートを用いて説明する。
【００１６】
発信者から着信信号が入力すると（ステップ１０１）、制御部３は、無線部２で復調されたデータから発信者番号を確認する（ステップ１０２）。
【００１７】
情報携帯端末装置がマナーモード設定になっているかどうかを判定し（ステップ１０３）、マナーモード設定になっていない場合には、指定された鳴音にて呼び出し、報知する（ステップ１０４）。電話をとれば通話状態になる（ステップ１０５）。
【００１８】
情報携帯端末装置がマナーモード設定になっていた場合には、制御部３は、情報携帯端末装置がマナーモードであることを発信者にアナウンスする（ステップ１０６）。アナウンスする時には、無線部２においてこの音声を変調し、信号処理を行い、送受信アンテナ１より送信される。
【００１９】
制御部３は、ステップ１０２にて確認した発信者番号から発信者番号に対応する緊急時呼び出しモードを記憶部６より読み出す（ステップ１０７）。
【００２０】
制御部３は、発信者に緊急かどうかを尋ね、緊急時には“１”を入力し、緊急でない時には“２”を入力する旨のアナウンスをする（ステップ１０８）。
【００２１】
発信者からのキー入力を待ち（ステップ１０９）、“２”が入力されたことが確認されたら緊急ではないと判断し、通常の所定のマナーモード動作を行う（ステップ１１０）。“１”が入力された場合には緊急時と判断し、現状の緊急時呼び出しモードがステップ１０７にて呼び出したモードであることをアナウンスする（ステップ１１１）。例えば、ステップ１０２で確認された発信者番号から発信者がＡである場合は、図２より緊急時呼び出しモードがレベル４であるため、表示とバイブ振動と鳴音大の報知で呼び出すことが可能である旨のアナウンスをする。
【００２２】
この場合は、レベル１〜レベル４の緊急時呼び出しモードの対応が可能である。制御部３は、緊急のレベルに応じて数字を入力して下さいの旨を発信者にアナウンスをする（ステップ１１２）。
【００２３】
続いて、発信者がＡの場合は、「緊急度大の場合“４”を入力して下さい。表示とバイブ振動と鳴音大で呼び出し報知を行います。緊急度中の場合“３”を入力して下さい。表示とバイブ振動と鳴音小で呼び出し報知を行います。緊急度小の場合“２”を入力して下さい。表示とバイブ振動のみで呼び出し報知を行います。緊急度無の場合“１”を入力して下さい。表示のみで呼び出し報知を行います」旨のアナウンスを行う（ステップ１１３）。
【００２４】
発信者がＥの場合は、図２より緊急時呼び出しモードがレベル３のため、レベル１〜レベル３の対応が可能である。同様に、緊急時呼び出しモードのレベルが２であればレベル１とレベル２の対応が可能であり、緊急時呼び出しモードのレベルが１であればレベル１のみの対応が可能である。それぞれ、その旨のアナウンスを行う。
【００２５】
発信者からのキー入力を待ち（ステップ１１４）、キー入力に対応した呼び出しを行い、報知する（ステップ１１５）。着信者が所定の時間Ｘ秒以内に電話をとるか否かを判定し（ステップ１１６）、電話をとれば、通話状態にはいる（ステップ１１７）。着信者がＸ秒経っても電話がとられなければ、所定のマナーモード動作（伝言メモ、留守録の録音等）を行う（ステップ１１８）。
【００２６】
次に、図１に示す情報携帯端末装置から、同様の呼び出し機能を有する着信端末装置に対し緊急呼び出しを行う際の動作を、図５（ステップ２０１〜ステップ２０９）および図６（ステップ２１０〜ステップ２１４）のフローチャートを用いて示す。
【００２７】
図１に示す情報携帯端末装置から着信端末装置に発信を行う（ステップ２０１）。着信端末装置がマナーモードであるか否かを判定し（ステップ２０２）、着信端末装置がマナーモードＯＦＦであれば、通常の鳴音呼び出しを行い、通話状態になる（ステップ２０３）。着信端末装置がマナーモードＯＮであれば、着信端末装置よりマナーモードである旨のアナウンスがある（ステップ２０４）。
【００２８】
着信端末装置より緊急呼び出しかどうかを尋ねるアナウンスがあり、緊急時には“１”を入力し、緊急でない時には“２”を入力する旨のアナウンスがあると（ステップ２０５）、図１に示す情報携帯端末装置から“１”または“２”のキー入力を行う（ステップ２０６）。
【００２９】
“２”のキー入力を行うと、着信端末装置に“２”が送られ、着信端末装置は所定のマナーモード動作に入る（ステップ２０７）。
【００３０】
“１”を入力すると、着信端末装置に“１”が送られ、着信端末装置より、緊急時の着信端末装置の呼び出しモードのアナウンスがある（ステップ２０８）。
【００３１】
さらに、緊急のレベルに応じて数字を入力して下さい旨のアナウンスがあり（ステップ２０９）、続いて、「緊急度大の場合“４”を入力して下さい。表示とバイブ振動と鳴音大で呼び出し報知を行います。緊急度中の場合“３”を入力して下さい。表示とバイブ振動と鳴音小で呼び出し報知を行います。緊急度小の場合“２”を入力して下さい。表示とバイブ振動のみで呼び出し報知を行います。緊急度無の場合“１”を入力して下さい。表示のみで呼び出し報知を行います」旨のアナウンスがある（ステップ２１０）。
【００３２】
発信者は、緊急度に応じて呼び出しモードを選択し、レベル１〜レベル４に対応する数字をキー入力する（ステップ２１１）。
【００３３】
着信者が所定の時間Ｘ秒以内に電話をとるか否かを判定し（ステップ２１２）、電話をとれば、通話状態にはいる（ステップ２１３）。Ｘ秒経っても電話をとられなければ、所定のマナーモード動作（伝言メモ、留守録の録音等）を行う（ステップ２１４）。
【００３４】
【発明の効果】
以上説明したように、この発明の情報携帯端末装置は、緊急呼び出しが必要な時に、マナーモード等により呼び出し制限されていても、発信者の緊急度に応じてマナーモード等を解除したり、また、あらかじめ着信者が発信者番号に対応した呼び出し制限を設定することで、着信端末装置が着信者の意図とは違う鳴音がしてしまうこともなく、特定の発信者のみマナーモードの解除をさせ、また、発信者がどのような呼び出しモードで呼び出すかを選択および、確認ができ、発信者、着信者両方の期待する呼び出し制御を可能にすることができる。
【図面の簡単な説明】
【図１】この発明の情報携帯端末装置の実施の形態を示すブロック構成図である。
【図２】緊急時呼び出しモードと発信者との対応について説明する図である。
【図３】情報携帯端末装置の、緊急呼び出し時における動作を説明するフローチャートである。
【図４】情報携帯端末装置の、緊急呼び出し時における動作を説明するフローチャートである。
【図５】情報携帯端末装置から、着信端末装置に対し緊急呼び出しを行う際の動作を説明するフローチャートである。
【図６】情報携帯端末装置から、着信端末装置に対し緊急呼び出しを行う際の動作を説明するフローチャートである。
【符号の説明】
１  送受信アンテナ
２  無線部
３  制御部
４  表示部
５  バイブ
６  記憶部
７  入力キー
８  ＬＥＤ
９  スピーカー
１０  レシーバ
１１  マイク
【図１】
0003827521.tif 000002
【図２】
0003827521.tif 000003
【図３】
0003827521.tif 000004
【図４】
0003827521.tif 000005
【図５】
0003827521.tif 000006
【図６】
0003827521.tif 000007